(57)【要約】 【課題】  形体、美観に優れ、犬の散歩に携帯しやすく、そして、容器の周りに邪魔なものがなく、糞の捕捉と清掃がしやすい犬糞等の捕捉運び器具を得る。  【解決手段】  把持部より伸びる長い柄の先に支持部を設け、各々その周縁部の片側に設けた基軸部を同心に支持部に支持されて対向に揺動運動して開閉する略球形等の形をした容器と蓋を設け、該容器と蓋を柄側に設けた操作手段の操作部により蓋が被さる時に容器が柄と略直角に上向きになり、排出の時に柄と略平行に重なって開き、その間の位置で糞の捕捉が出来るようにした。  【選択図】        図１
2008043202.tif 000002
【特許請求の範囲】
【請求項１】
把持部から先方へ伸びる柄部の先に把持部に対して左右方向から前方向に至る間の所望の向きで該柄部と交差する揺動軸線を有する支持部を設け、窪んだ内壁部と平坦な開口部を有し該開口部の片側に該開口部と平行な容器基軸部を備え該容器基軸部を支持部に揺動可能に支持される容器と、該容器の開口部を接近して被う周縁手段とその内側の被い部を有しその周縁部の片側に周縁手段と平行な蓋基軸部を備え該蓋基軸部を容器の内外の一方の側で容器基軸部と同心に支持部に揺動可能に支持される蓋を設け、柄部の側に設けられ上部に操作部を備えその下部で容器基軸部側の一部と蓋基軸部側の一部とに連結された操作部材を備える操作手段を設け、操作部材の操作部により容器と蓋の開閉操作を行うことを特徴とする犬糞等の捕捉運び器具。
【請求項２】
容器と蓋の操作部材が柄部上に上下移動自在に保持され、揺動軸線の前後の一方の側で該操作部材の一部と容器基軸部の一部とを連結する連結手段と揺動軸線の前後の他方の側で該操作部材の一部と蓋基軸部の一部とを連結する連結手段を備えることを特徴とする請求項１記載の犬糞等の捕捉運び器具。
【請求項３】
操作部材の連結手段が揺動軸線の前後の一方の側で操作部材の一部にその一端側を連結され他端側を容器基軸部に形成された容器レバーに連結された容器リンクと、揺動軸線の前後の他方の側で操作部材の他の一部にその一端側を連結され他端側を蓋基軸部に形成された蓋レバーに連結された蓋リンクからなることを特徴とする請求項２記載の犬糞等の捕捉運び器具。
【請求項４】
操作部材の連結手段が揺動軸線の前後の一方の側で操作部材の一方側の部分に柄部に平行に形成した容器ラックと、揺動軸線の前後の他方の側で操作部材の他方側の部分に柄部に平行に形成した蓋ラックと、容器基軸部に形成され前記容器ラックと噛み合う容器歯車と、蓋基軸部に形成され前記蓋ラックと噛み合う蓋歯車からなることを特徴とする請求項２記載の犬糞等の捕捉運び器具。
【請求項５】
容器の操作部材が柄部の揺動軸線の前後の一方の側で上下移動自在に保持され、該容器の操作部材の一部と容器基軸部の一部とを連結する容器連結手段を備え、蓋の操作部材が柄部の揺動軸線の前後の他方の側で上下移動自在に保持され、該蓋の操作部材の一部と蓋基軸部の一部とを連結する蓋連結手段を備えることを特徴とする請求項１記載の犬糞等の捕捉運び器具。
【請求項６】
柄部の一部に支持ピンを設け、該支持ピンに支持されて柄部を交差方向に伸び出る前レバー部と後レバー部からなり支持ピンを支点にして上下にシーソーように揺動する操作レバーを設け、前レバー部と後レバー部の一方側に操作部材の操作部分に設けた掛かり孔を掛けとめてなる操作レバー手段の操作部を備えることを特徴とする請求項１記載の犬糞等の捕捉運び器具。
【請求項７】
揺動軸線上にある容器の開口部の容器基軸部と反対側の部位と蓋の周縁部の蓋基軸部と反対側の部位に相互に回転自在に支持し合う軸心支持手段を備えることを特徴とする請求項１記載の犬糞等の捕捉運び器具にある。
【請求項８】
軸心支持手段が容器の壁部と蓋の壁部との間に設けた一方の側の窪み部とこれに回転自在に嵌まる他方側の突部からなることを特徴とする請求項７記載の犬糞等の捕捉運び器具。
【請求項９】
窪んだ内壁部と平坦に開く開口部を有し該開口部の片側を支持部に嵌め合わされて揺動軸線の周りに揺動可能に支持された容器と、その周縁部分の片側を容器の内側で支持部に同心に支持され容器の開口部の内側を密に接近して被う周縁手段と内側の被い部を有する蓋を有することを特徴とする請求項１記載の犬糞等の捕捉運び器具。
【請求項１０】
揺動軸線の周りに半回転形に窪んだ内壁部と平坦に開く開口部を有し該開口部の片側を支持部に嵌め合わされて揺動軸線の周りに揺動可能に支持された容器と、その周縁部分の片側を容器の内側で支持部に同心に支持され容器の開口部の内側を密に接近して被う周縁手段と内側の被い部を有する蓋を有することを特徴とする請求項１記載の犬糞等の捕捉運び器具。
【請求項１１】
窪んだ内壁部と平坦に開く開口部を有し該開口部の片側を支持部に嵌め合わされて揺動軸線の周りに揺動可能に支持された容器と、その周縁部分の片側を容器の外側で支持部に同心に支持され容器の開口部を密に接近して被う周縁手段と内側の被い部を有する蓋を有することを特徴とする請求項１記載の犬糞等の捕捉運び器具。
【発明の詳細な説明】
【技術分野】
【０００１】
本発明は、犬等の散歩の際に持ち歩き、その糞を捕捉しそれを決められた場所に排出するための犬糞等の捕捉運び器具に関する。
【背景技術】
【０００２】
従来、犬の糞の捕捉と持ち帰りのための器具が販売されている。これらの多くは、地面上にある犬の糞を掬い取る、あるいは挟み取る器具と糞を入れる袋等からなっているものが主である。登録実用新案第３０５１１６０号は伸縮出来る把手の先のヒンジ部に支持された掛止環部にビニール袋を取り付けるようになっている。これらは掛止環部に手を触れる必要があり、又、携帯して持ち歩くには不便で、人目にも抵抗を感ずる欠点がある。
登録実用新案第３０１５１２７号公報に記載のものは、犬の糞を受ける横に柄の付いた下半球上に回転軸により結合されて開閉動する上半球を有しており、該上半球を閉じた時に球体形をなすものである。柄上には滑動するスライダーが設けてあり、該スライダーと上半球は棒により連結されており、上半球は柄上のスライダーの操作により開閉されるようになっている。
特開平１０−５６９０８号公報に記載のものは、口縁部に柄の付いた半球状の身の外側に身の軸支線上に回転可能に軸支され、身の開口部を閉鎖するように回転せしめた時に身と蓋とで球状をなすようにした半球状の蓋を有しており、予め装着された糞を納める袋を身と蓋の間で閉じて内部に保持するようになっているものである。蓋を閉鎖状態に保つ固定手段を有している。蓋の開閉は蓋の外面を地面上に転がして行うものと、開閉手段（８）、開閉手段（１０）などで行うものが開示されている。
この他にも犬の糞を排便中に捕捉するもの等の提案が多くなされている。
先行技術文献１    登録実用新案第３０５１１６０号公報
先行技術文献２    登録実用新案第３０１５１２７号公報
先行技術文献３    特開平１０−５６９０８号公報
【発明の開示】
【発明が解決しようとする課題】
【０００３】
前述のように、従来市販されている犬の糞の捕捉運び器具等は、糞の収納が面倒で扱いづらい上に、これらを持ち運ぶにも見目が悪く敬遠される欠点があった。
犬の糞の捕捉運び器具等は、何時も清潔に保つために掃除がし易いことが特に大事で、容器と蓋の周りに支持部材や操作部材などがなく周囲が完全に露出されていることが望ましい。
受容器と蓋の周りに支持部材などが存在すると、清掃の際や、糞の捕捉の際などに邪魔になることがあり、又、そこに雑草などが絡んで引っ掛かって残ることがある。
本発明の目的は、一つの軸線上で対向方向に揺動して開閉する容器と蓋が柄の側部に突出して設けられており、操作手段が容器と蓋の周りから分離された柄の側にあってこれらと連結されており、柄の操作部の簡単な操作で容器と蓋とが捕捉しやすい向きに開き、蓋をして運びやすい上下の向きに保たれ、柄の一方側に大きく傾けて排出することが出来、且つ、捕捉しやすく清掃しやすい犬糞等の捕捉運び器具を提供するにある。
本発明の他の目的は、糞の捕捉や排出の際に容器と蓋をより適切な向きに、且つ、一層大きく開くことが出来、糞の捕捉の際に、犬の後ろ側の横の位置からも支持部材などに邪魔されずに犬の糞口の下に容器を近づけやすい犬糞等の捕捉運び器具を提供するにある。
本発明の他の目的は、容器と蓋とが一つの操作部で連動して対向方向に揺動して閉止、捕捉そして排出ができる犬糞等の捕捉運び器具を提供するにある。
本発明のさらに他の目的は、容器と蓋とを各々単独に操作して閉止、捕捉そして排出ができる犬糞等の捕捉運び器具を提供するにある。
【課題を解決するための手段】
【０００４】
上記目的を達成するために、本発明の犬糞等の捕捉運び器具は、把持部から先方へ伸びる柄部の先に把持部に対して左右方向から前方向に至る間の所望の向きで該柄部と交差する揺動軸線を有する支持部を設け、窪んだ内壁部と平坦な開口部を有し該開口部の片側に該開口部と平行な容器基軸部を備え該容器基軸部を支持部に揺動可能に支持される容器と、該容器の開口部を接近して被う周縁手段とその内側の被い部を有しその周縁部の片側に周縁手段と平行な蓋基軸部を備え該蓋基軸部を容器の内外の一方の側で容器基軸部と同心に支持部に揺動可能に支持される蓋を設け、柄部の側に設けられ上部に操作部を備えその下部で容器基軸部側の一部と蓋基軸部側の一部とに連結された操作部材を備える操作手段を設け、操作部材の操作部により容器と蓋の開閉操作を行うものである。
そこで、操作部を操作することにより蓋が被さる時に受容器が柄と略直角に上向きとなりその開口部の上を蓋の周縁手段が塞ぎ、糞の排出時に受容器と蓋が柄の一方側に傾いて開き、その間の位置で受容器と蓋が糞の捕捉の向きに傾けて開くことが出来る。
容器の周りが広く開かれて邪魔になるものがなく、且つ、捕捉の際にも容器が十分大きく開くことが出来る犬糞等の捕捉運び器具が得られる。
ここで、操作部材とは、操作部と下部に設けられる各基軸部側の一部との連結手段であるリンクやラックを含むものである。又、操作部と各基軸部側の一部とを直接に繋ぐロッドやワイヤー等をも含むものである。
又、操作部とは、操作部材上部に設けられる直に掴める握り部やハンドル、あるいは指掛けのようなレバー形のもの等を含め、以下に示す操作レバーとレバー孔、あるいは、歯車付操作レバーと操作ラックのように操作レバー手段とその操作部材側との連結手段を包括的に含むものである。
【０００５】
容器と蓋の操作部材が柄部上に上下移動自在に保持され、揺動軸線の前後の一方の側で該操作部材の一部と容器基軸部の一部とを連結する連結手段と揺動軸線の前後の他方の側で該操作部材の一部と蓋基軸部の一部とを連結する連結手段を備えることを特徴とする請求項x記載の犬糞等の捕捉運び器具。
【０００６】
操作部材の連結手段が揺動軸線の前後の一方の側で操作部材の一部にその一端側を連結され他端側を容器基軸部に形成された容器レバーに連結された容器リンクと、揺動軸線の前後の他方の側で操作部材の他の一部にその一端側を連結され他端側を蓋基軸部に形成された蓋レバーに連結された蓋リンクからなることを特徴とする請求項x記載の犬糞等の捕捉運び器具。
【０００７】
操作部材の連結手段が揺動軸線の前後の一方の側で操作部材の一方側の部分に柄部に平行に形成した容器ラックと、揺動軸線の前後の他方の側で操作部材の他方側の部分に柄部に平行に形成した蓋ラックと、容器基軸部に形成され前記容器ラックと噛み合う容器歯車と、蓋基軸部に形成され前記蓋ラックと噛み合う蓋歯車からなることを特徴とする請求項x記載の犬糞等の捕捉運び器具。
【０００８】
このように、容器と蓋の操作が柄の一つの操作部の操作で連動して同時に行われることが、本発明の優れた特徴の一つであるが、容器と蓋の操作を各々独立の操作手段で独立の操作部で行うことも出来る。
容器の操作部材が柄部の揺動軸線の前後の一方の側で上下移動自在に保持され、該容器の操作部材の一部と容器基軸部の一部とを連結する容器連結手段を備え、蓋の操作部材が柄部の揺動軸線の前後の他方の側で上下移動自在に保持され、該蓋の操作部材の一部と蓋基軸部の一部とを連結する蓋連結手段を備えることを特徴とする請求項x記載の犬糞等の捕捉運び器具。
【０００９】
柄部の一部に支持ピンを設け、該支持ピンに支持されて柄部を交差方向に伸び出る前レバー部と後レバー部からなり支持ピンを支点にして上下にシーソーように揺動する操作レバーを設け、前レバー部と後レバー部の一方側に操作部材の操作部分に設けた掛かり孔を掛けとめてなる操作レバー手段の操作部を備えることを特徴とする請求項x記載の犬糞等の捕捉運び器具。
【００１０】
揺動軸線上にある容器の開口部の容器基軸部と反対側の部位と蓋の周縁部の蓋基軸部と反対側の部位に相互に回転自在に支持し合う軸心支持手段を備えることを特徴とする請求項x記載の犬糞等の捕捉運び器具にある。
【００１１】
軸心支持手段が容器の壁部と蓋の壁部との間に設けた一方の側の窪み部とこれに回転自在に嵌まる他方側の突部からなることを特徴とする請求項x記載の犬糞等の捕捉運び器具。
【００１２】
軸心支持手段が容器の内壁部の凹の球面部と蓋の外壁部の凸の球面部からなることを特徴とする請求項x記載の犬糞等の捕捉運び器具にある。
【００１３】
上記容器と蓋は、窪んだ内壁部と平坦に開く開口部を有し該開口部の片側を支持部に嵌め合わされて揺動軸線の周りに揺動可能に支持された容器と、その周縁部分の片側を容器の内側で支持部に同心に支持され容器の開口部の内側を密に接近して被う周縁手段と内側の被い部を有する蓋により構成することが出来る。
【００１４】
上記容器と蓋は、後記する理由により、揺動軸線の周りに半回転形に窪んだ内壁部と平坦に開く開口部を有し該開口部の片側を支持部に嵌め合わされて揺動軸線の周りに揺動可能に支持された容器と、その周縁部分の片側を容器の内側で支持部に同心に支持され容器の開口部の内側を密に接近して被う周縁手段と内側の被い部を有する蓋により構成されることがより一層望ましい。
そこで、糞の排出の際に蓋がその閉止位置から開き位置に移動する時に、その周縁手段の後側は容器の内壁部に沿って動き、容器内の糞を付着するものも一緒に前方へ押出す。そして蓋は容器の内側に重なって前方に開く。
【００１５】
上記容器と蓋は、窪んだ内壁部と平坦に開く開口部を有し該開口部の片側を支持部に嵌め合わされて揺動軸線の周りに揺動可能に支持された容器と、その周縁部分の片側を容器の外側で支持部に同心に支持され容器の開口部を密に接近して被う周縁手段と内側の被い部を有する蓋により構成することも出来る。
本発明の器具は、地面にある糞を救い取るよりも、主として犬がまさに排糞中のところに立位ないし、いくぶん腰を屈めるようにして犬の糞口の下に容器の上部の開口部をあてがって器内にその糞を捕捉するものである。
従って、柄の長さは十分な長さが望ましく、目で確かめながら捕捉器の前部の開口部を犬の糞口の下にあてがう。その際に、柄の角度は平坦な地面の垂線に対し１０°から７０°程度の範囲となるであろう。
勿論、本犬糞等の捕捉運び器具は操作部を操作しながら容器を開いて地面上の糞を挟み取ったり、救い取ることも出来るようになっている。
【発明の効果】
【００１６】
長い柄の先に支持され対向に揺動する容器と蓋が手元の操作部の簡単な操作で捕捉しやすい向きに開き、捕捉した後は蓋をして運びやすいような向きに保たれ、手に持ったまま容器を糞の排出がしやすい向きに傾けて開くことが出来る犬糞等の捕捉運び器具が得られる。
【００１７】
一軸線上で対向方向に揺動して開閉する容器と蓋が柄の側部に突出して設けられており、操作手段が容器と蓋の周りから分離された柄の側にあって基軸部を介してこれらと連結されているので、容器の周りが広く開かれて邪魔になるものがなく、捕捉しやすく清掃しやすい犬糞等の捕捉運び器具が得られる。
【００１８】
糞の捕捉や排出の際に容器と蓋をより適切な向きに、且つ、一層大きく開くことが出来、糞の捕捉の際に、犬の後ろ側の左右の位置からも支持部材などに邪魔されずに犬の糞口の下に容器を近づけやすい犬糞等の捕捉運び器具が得られる。
【００１９】
容器と蓋とが一つの操作部で連動して対向方向に揺動して閉止、捕捉そして排出ができる犬糞等の捕捉運び器具が得られる。
又、容器と蓋とを各々単独に操作して閉止、捕捉そして排出ができる犬糞等の捕捉運び器具を得ることも出来る。
【００２０】
容器を揺動軸線の周りに半回転形の形状にし、蓋を受容器の内側にしてその周縁手段が開口部の内側で内壁部に密に接近するようにすることにより、糞が容器の外部にこぼれ難く、しかも排出の際には受容器内の糞を周縁手段の後側でかき出すように前方へ押出して開くので糞が内壁部に付着して残らず清潔に保たれる。
【００２１】
さらに、容器を揺動軸線の周りに半球形の形状とし、蓋をその揺動軸線の周りに半球形に突出した被い部にして容器が閉止される時に、容器と蓋の全体の形が略球形を成す形状にすることにより、角がなく密実で内外の掃除がし易く、収容容量の大きな犬糞等の捕捉運び器具が得られる。
【００２２】
さらに、蓋の周縁部に受容器の開口部を含む内壁部に密接するシールリングを取付けることにより受容器の開口部が密閉され、雨水等の侵入や臭気の洩れも少なく、ガタのない確りした犬糞等の捕捉運び器具が得られる。
【００２３】
前と後ろでシーソーに動く操作レバーによって、把持部を握る前側と後側の指の一部で前側と後側のレバーを交互に引き上げる操作によって容器と蓋を開くことも閉じることも出来る操作しやすい犬糞等の捕捉運び器具が得られる。
【発明を実施するための最良の形態】
【００２４】
把持部より伸びる長い柄の先に支持部を設け、各々その周縁部の片側に設けた基軸部を同心に支持部に支持されて対向に揺動運動して開閉する略球形等の形をした容器と蓋を設け、該容器と蓋を柄側に設けた操作手段の操作部により蓋が被さる時に容器が柄と略直角に上向きになり、排出の時に柄と略平行に重なって開き、その間の位置で糞の捕捉が出来るようにした。
【実施例１】
【００２５】
図１〜４において、柄１の上端にある前後方向にＴ字形をなす把持部５から先方へ長く伸びる柄部２の先に、把持部５に対して左右方向の向きで柄部２と交差する中心軸線を有する円筒形の孔から成る支持部４が設けられる。該中軸心線は容器と蓋の揺動軸線３をなすものである。容器８は平坦に開く開口部６と窪んだ内壁部７を有しており、その開口部６の片側に容器基軸部９を備えている。該容器基軸部９は開口部６と平行に容器の中心部を通る軸心を有し、支持部４に回転自在に嵌まる直径の軸部であって、容器８は該容器基軸部９により柄部２の一方の側部に揺動軸線３の周りで揺動自在に支持されている。
容器８の内側には蓋１１が取付けられている。該蓋１１は開口部６を密接に接触して被う平坦な周縁手段１２と内側の被い部１０を有しその周縁部分の片側に蓋基軸部１３を備えている。該蓋基軸部１３は周縁手段１２が揺動軸線３と平行に支持されるように蓋の中心部を通る軸心を有し、容器基軸部９の内部に同心に穿たれた蓋基軸孔１４に回転自在に嵌まっている。そこで、蓋１１は容器８内で揺動することが出来、容器８と蓋１１は共に揺動軸線３上で揺動する。周縁手段１２は、ここでは、蓋の周縁部分に設けられたリング溝に嵌まるゴム製の中空のパイプ状シールリングになっている。
容器と蓋の基軸部の反対側に両者の軸心を保持する軸心支持手段を設けることが出来る。図４において、容器の開口部６の容器基軸部９と反対側の内壁部７の揺動軸線３の通る位置に円筒状の窪み３１が設けてある。一方、蓋１１の周縁部の対応する位置の外壁部分に前記窪み３１に回転自在に嵌まる突起３２が設けてある。この突起３２により蓋１１の周縁部の端部が揺動軸線３上で容器の端部に支持されて、受容器内で一層安定して揺動することが出来る。
容器８と蓋１１は、ここでは、共に揺動軸線３を中心軸線とする円の回転形である球形を略半分にした形の略半球形になっている。
従って、開口部６と周縁手段９は円形である。ここに示すような半球形やこれに近い形の器や蓋は掃除がしやすい形である。受納容量に比較した小型化や意匠の点でも全体の形が球形に近い形が望ましい。
容器と蓋を動かす操作手段は柄部２の反対側に設けられる。柄部２を間にして、受容器基軸部９の容器側と反対側の位置に、揺動軸線３の前側で半径方向に伸びてその端部にリンクピン１５を備える容器レバー１６が設けてある。一方、柄部２上には、軸方向に滑動自在に嵌る操作部材１７があって、該操作部材１７の下端部には前後に並列に２つのリンクピン１８と１９が設けてある。そして、前側のリンクピン１８と容器レバー１６のリンクピン１５とが容器リンク２０を介して連結されている。
同じように、蓋基軸部１３の蓋側と反対側の位置には、揺動軸線３の後側で前記容器レバー１６と対称形に半径方向に伸びて、その端部にリンクピン２１を備える蓋レバー２２が設けてある。そして、後側のリンクピン１９と蓋レバー２２のリンクピン２１とが蓋リンク２３を介して連結されている。
ここで、容器レバー１６と蓋レバー２２の長さは必ずしも同じである必要はない。異なる長さにすることによって、受容器と蓋とに所望の異なる揺動角度を与えることも出来る。又、容器レバー１６と蓋レバー２２とが揺動軸線３を通る柄部２の軸線に対し前後対称の傾きである必要はない。非対称の傾きとすることで容器と蓋の動きに差を生じせしめることなどは、任意である。
ここでは、操作部材１７はその操作部を操作レバー手段を介して操作される。
操作部材１７の上部はその前側の部分が上方に長く伸びており、この上部に伸びる操作部の部分にレバー孔２４が穿けてある。把持部５より指が届く程の位置の柄部２の後ろ側のピン受け部に横方向の支持ピン２５が固定されており、該支持ピン２５に支持されて柄部２を前後方向に貫通して前後に伸び出る操作レバー２６が設けてある。該操作レバー２６は柄部２の前側に突出する前レバー部２７と後ろ側に突出する後レバー部２８からなり支持ピン２５を支点にして上下にシーソーように揺動することが出来る。そして該操作レバー２６の前レバー部２７部分がレバー孔２４を貫通している。
そこで、図２〜３に示すように前レバー部２７を一杯に引き上げた時に、操作部材１７が一杯に引き上げられ、容器リンク２０と蓋リンク２３は容器レバー１６と蓋レバー２２を回して容器と蓋とを閉止状態にする。この時容器８はその開口部６が柄部２に対して略直角になるように上向きとなっており、その上から蓋１１が下向きになり、その周縁手段１２が開口部６を塞いでいる。容器内の糞は外部に漏れることなく、その臭気もシールリングの働きでもれることがない。通常は、この縦にした状態で持ち歩く。
容器８の周りに穿けられた小さな排水孔２９は蓋が被さった際に雨水や砂等を周縁手段１２の周りから逃がす孔で、水などが容器内に浸入することを防ぐものである。
操作部材１７はその操作部の操作による動きを容器リンクと蓋リンク等の連結手段を介して容器レバーと蓋レバーに伝達してこれらを動かす部材である。ここに示す以外のロッドのようなものでも、あるいは張りバネでいつも張られているコードやワイヤーであっても同様の機能を与え得るもので、これらに換えて実施することも出来る。
把持部を握りながら、その握る指の一部でレバーを操作する時、指でレバーを押すという操作はやり辛いものであるが、この例のように、柄部２に設けられたシーソーに動く操作レバー２６を介して操作部材の操作部を操作するようにすれば、把持部を握る前側と後側の指の一部で前側と後側のレバーを交互に引き上げる操作によって容器と蓋を開くことも閉じることも出来る。このように前と後ろでシーソーに動くレバーは都合がよい。
さらにこの例において、柄部２の支持ピン２５の下部の空間内に柄部２の前側の内壁にその一端を固定されたU形の板バネ３３が挿入してある。該板バネ３３の他端側には操作部材１７の後側の壁に向かって三角形に突出する突起３４が形成してあり、バネの反発力で後側に押されている。一方、操作部材１７の対応する部分の内壁には突起３４に合致した三角形状の３個の止め溝３５、３６，３７が縦並びに設けてある。そこで、図２のように容器が蓋に閉止されている状態の時に、止め溝３７に突起３４が嵌まる。図３のように容器と蓋が一杯に開かれている状態の時に、止め溝３５に突起３４が嵌まる。
そして、図１のように容器と蓋が糞の捕捉の向きに開かれている時に、止め溝３６に突起３４が嵌まる。この突起３４の嵌まり込みは操作レバー２６に一定以上の力をかけることで外れる移動抵抗保持手段６０になっている。これによって、容器と蓋の開閉操作の所定位置での安定した保持が行われる。
図３では後レバー部２８を一杯に引き上げられている。この時に操作部材１７が一杯に引き下げられて容器リンク２０と蓋リンク２３は容器レバー１６と蓋レバー２２を介して容器と蓋とを開放状態にする。容器８は柄部２の後ろ側にあって、その開口部６は柄部２と略平行に立って前側に向き、蓋１１がその内側で重なり合うようにしてその周縁手段１２が柄部２と略平行に立って前側に向かって開いている。糞の排出は通常はこの図３のように柄を縦にした状態で行う。図２に示す容器の開口部６が蓋の周縁手段１２に閉止された状態から図３の状態に移動する際に、蓋の周縁手段１２は容器の内壁部７を掃くようにして移動し、容器８内の糞を内壁部７に付着するものも一緒に前方へ押出す。受容器８の内壁部７が揺動軸線３を中心にした回転面であることの利点の一つである。
容器と蓋の形はここに示すような円の回転形を半分にした半球形である必要はない。例えば、方形の回転形を半分にした半円筒形や、楕円の回転形を半分にした半ラグビーボール形など好み等により任意に選択出来る。又、前述のような利点を重要視しないならば、必ずしも半回転形の窪み部の容器や半回転形の被い部の蓋である必要はない。
図１は糞の捕捉中の状態が描かれている。柄部２が垂直方向に対して４５°後ろ側に傾いた状態で、操作レバー２６が傾きの間の位置、即ち、突起３４が止め溝３６に嵌まった状態で描かれている。図示の位置において容器８と蓋１１は前側に傾いて開かれており、犬が排糞中の糞の捕捉に適した向きで開口部６の前側が大きく開かれている。立位ないし、いくぶん腰を屈めるようにして犬３７の糞口の下に容器の開口部６をあてがって器内にその糞を捕捉する。
容器の開口部６が大きく開かれており、容器の柄部２の反対側に支持部材のような邪魔なものがなく、開口部の向こう側も略円く開かれている。そこで、例えば、図１の状態で支持脚３０の端を支点にして柄１をそのまま左右に回すことで、犬の後ろ側の左右の位置からより広い角度で糞の捕捉を行うことが出来る。
支持脚３０は、柄１の支持部４の先に設けられている。支持部４より柄部２に対し後側へ４５°程傾いて容器の外側を巻くように下方へ容器の中心近くまで伸びている。該支持脚３０は糞の捕捉の際の先端の支えとして使用することが出来る。又、器具を壁などに立ておく際に、容器を地面に着けない支え脚にもなる。該支持脚３０の柄部２に対する後側への傾き角度はここに示す４５°に限らず任意であり、もっと小さな角度とすることが出来る。
捕捉後は前レバー部２７を一杯に引き上げて蓋の周縁手段１２で受容器の開口部６を塞ぎ図２に示す柄を縦にした状態で持ち歩く。
ここで、容器は柄の把持部に対して左右方向から前方向の範囲の任意の向きで柄部と交差するように設け得る。そのように支持部を設けることが出来る。
【実施例２】
【００２６】
図５〜図７は本発明の他の実施例を示す。以下の説明では、前述の実施例と同じ部分については各実施例毎に同一の符号にａ、ｂ、ｃの添字を付して示し、その詳しい説明を省略して主に異なる部分について説明する。
ここでは、操作部材１７aと容器基軸部９a及び蓋基軸部１３aとの間の連結手段を異にしており、ラックと歯車により連結されている。
柄部２aを間にして、容器基軸部９aの容器側と反対側の位置に、揺動軸線３aより前側に歯を有する容器歯車３８が形成されている。そして、操作部材１７aの下部の縦に長いケース部３９の内側には、揺動軸線３aの前側に容器歯車３８と噛合う柄部２aと平行方向の容器ラック４０が設けられている。
同じように蓋基軸部１３aの蓋側と反対側の位置には、揺動軸線３aより後側に歯を有する蓋歯車４１が形成されている。そして、ケース部３９の内側には、揺動軸線３aの後側に蓋歯車４１と噛合う柄部２aと平行方向の蓋ラック４２が設けられている。
支持部４aのケース部３９側には上下に伸びるケースカバー６１が設けてあり、上下に移動するケース部３９の側部を塞ぐ働きをしている。
操作部材１７aの上部は、ここではその後側の部分が上方に長く伸びており、この上部に伸びる操作部にレバー孔２４aが穿けてある。そして、把持部５aより指が届く程の位置の柄部２aの前側にあるピン受け部に、横方向の支持ピン２５aが固定されており、該支持ピン２５aに支持されて柄部２aを前後方向に貫通して前後に伸び出る操作レバー２６aが設けてある。該操作レバー２６aは、前例と同じように、柄部の前側に突出する前レバー部２７aと後ろ側に突出する後レバー部２８aからなり、支持ピン２５aを支点にして上下にシーソーように揺動することが出来る。そして該操作レバー２６aの後レバー部２８a部分がレバー孔２４aを貫通している。丁度、前例とは前後が逆になっている。
そこで、図６〜７に示すように後レバー部２８aを一杯に引き上げた時に、操作部材１７aが一杯に引き上げられて容器ラック４０と蓋ラック４２が各々の側の容器歯車３８と蓋歯車４１を回して容器と蓋とを閉止状態にする。そして、前レバー部２７aを引き上げた時に、操作部材１７aが一杯に下に引き下げられて、容器と蓋が開放状態になる。
図５は糞の捕捉中の状態が描かれている。柄部２aが垂直方向に対して４５°後ろ側に傾いた状態で、操作レバー２６aが傾きの間の位置にある状態で描かれている。図示の位置において受容器８aと蓋１１aは前側に傾いて開かれており、犬が排糞中の糞の捕捉に適した向きで開口部６aの前側が大きく開かれている。
容器８aの内壁部７aは凹の球面になっており、蓋１１aの周縁手段１２aのリング溝の外周部は内壁部７aに密に接近した凸の球面になっており、軸心支持手段としての機能を果たしている。
【実施例３】
【００２７】
図８〜９は本発明の他の実施例を示す。ここでは柄１ｂに支持部４ｂの中心軸線である揺動軸線３ｂが把持部５ｂと平行に前後方向に交差している。そして、T字形の把持部５ｂが、柄部２ｂの上端に容器８ｂの中心から伸びる線に直角に向くように傾けて取り付けられている。そこで、持ち歩く際に、容器８ｂが把持部５ｂの略真下にくる。
ここでは、容器と蓋の周りと、操作手段の操作部材と容器基軸部及び蓋基軸部との間の連結手段などは実施例１と同じであるが、操作部材の操作部に異なる操作レバー手段が設けられている。
ここでは、操作部材１７ｂはその操作部を操作レバー４６を介して操作される。
操作部材１７ｂには、上方に長く伸びる前側の壁の内側に縦方向に操作ラック４４が固定されている。この操作ラック４４の移動する範囲の柄部２ｂの前の壁の部分は孔が穿けてあり、操作ラック４４はこの孔より柄部２ｂの内部に露出して上下に移動出来る。柄部２ｂの後ろ側のピン受け部に横方向の支持ピン４５が固定されており、該支持ピン４５に回転自在に支持された後方向に伸びる操作レバー４６が設けてある。該操作レバー４６には、その支持ピン４５に嵌まる部分の前側に操作ラック４４と噛み合う扇形歯車４３が形成されている。
そこで、操作レバー４６を上下に操作することにより操作ラック４４を介して操作部材１７ｂを上下に移動操作させ、前例同様に容器と蓋の開閉操作を行うことが出来る。
図９に糞の捕捉中の状態が描かれている。ここでは、把持部５ｂが前例のように犬に対して前後ろへ平行ではなく、犬に対して横方向に向く。容器の開口部６ｂが大きく開かれており、容器の柄部２ｂと反対側には支持部材のような邪魔なものがなく、開口部の向こう側も略円く開かれている。そこで、犬の後ろ側の横に立って横から容器を差し出すようにして糞の捕捉をするのに一層好都合である。
【実施例４】
【００２８】
図１０〜１１は本発明のさらに他の実施例を示す。ここでは蓋１１ｃが容器８ｃの外側で支持部４ｃに支持されており、実施例１や実施例２と同様に操作部材１７ｃの移動により揺動軸線３ｃの周りに互いに対向方向に揺動して開閉される。容器８ｃと蓋１１ｃは円の中心を揺動軸線３ｃ上にして該揺動軸線３ｃを軸に回転せしめて得られる球形を半分に割った形の半球形に造られており、蓋が被さった形が略球形を成している。図は操作部材１７ｃが一杯に引き上げられた位置にあり、蓋の周縁手段１２ｃが容器の開口部６ｃの外側を深く被った状態になっている。開口部６ｃは蓋の被い部１０ｃの内壁に接近するように外側に曲げ出された外鍔４７を有する。そこで、容器と蓋が開く方向に移動する時に開口部６ｃの後ろ側の外鍔４７は被い部１０ｃの内壁に沿って移動し、付着するものを掻き落として奇麗にする働きをする。外鍔４７は容器８ｃ側に設けられているが、実施例１や実施例２の蓋の周縁手段と同じような働きをする。
容器及び蓋の基軸部の反対側には、容器と蓋の軸心支持手段が設けられている。
蓋１１ｃの周縁部の蓋基軸部１３ｃと反対側の揺動軸線３ｃの通る位置の壁に、支持ピン４８が固く挿入されている。一方、容器８ｃの開口部側の対応する位置の壁部には支持ピン４８に回転自在に嵌まるピン孔４９が設けてある。そこで、支持ピン４８により容器の開口部６ｃの端部が揺動軸線３ｃ上で蓋１１ｃの端部に支持されて、蓋の内部で一層安定して揺動することが出来る。
【実施例５】
【００２９】
このように、容器と蓋の操作が柄の一つの操作部の操作で連動して行われることが、本発明の優れた特徴の一つであるが、容器と蓋の操作を各々単独で行うことも出来る。
図１２は本発明のさらに他の実施例を示す。この例では蓋１１ｄが容器８ｄの外側で揺動して開閉されもので、容器基軸部９ｄが蓋基軸部の内部に同心に穿けられた容器基軸孔（図示せず）に支持されて支持部４ｄに支持されている。
蓋操作部材５０が揺動軸線を通る柄部２ｄの中心線５４より前側に上下に滑動自在に設けてある。該蓋操作部材５０の上部の操作部にはレバー孔５１が穿けてある。把持部５ｄより指が届く程の位置の柄部２ｄの後ろ側に設けられたピン受け部に横方向の支持ピン５２が固定されており、該支持ピン５２に支持されて柄部２ｄを前後方向に貫通して前方に伸び出る蓋操作レバー５３が設けてある。
蓋基軸部の端には、揺動軸線より前側で半径方向に伸びてその端部にリンクピンを備える蓋レバー２２ｄが設けてある。蓋操作部材５０の下端部にはリンクピン１９ｄが設けてある。そして、該リンクピン１９ｄと蓋レバー２２ｄのリンクピンとが蓋リンク２３ｄを介して連結されている。
図１２は糞の捕捉状態を示しており、蓋操作レバー５３が一杯に引き上げられて蓋リンク２３ｄを介して蓋基軸部が回されて、蓋１１ｄが一杯に開かれている。
一方、容器操作部材５５が柄部２ｄの中心線５４より後側に上下に滑動自在に設けてある。該蓋操作部材５５の上部の操作部にはレバー孔５６が穿けてある。蓋操作レバー５３より下へ離れた位置の柄部２ｄの前側に設けられたピン受け部に横方向の支持ピン５７が固定されており、該支持ピン５７に支持されて柄部２ｄを前後方向に貫通して後方に伸び出る容器操作レバー５８が設けてある。
容器基軸部９ｄの端には、揺動軸線より後側で半径方向に伸びてその端部にリンクピン１５ｄを備える容器レバー１６ｄが設けてある。容器操作部材５５の下端部にはリンクピン１８ｄが設けてある。そして、該リンクピン１８ｄと容器レバー１６ｄのリンクピン１５ｄとが容器リンク２０ｄを介して連結されている。
ここで、容器操作レバー５８が半ば程引き上げられて容器リンク２０ｄを介して容器基軸部９ｄが回されて、容器８ｄが糞の補足に適した傾きで開かれている。
ガイドリング５９は蓋操作部材５０と容器操作部材５５を柄部２ｄ上に保持して案内するもので、蓋操作部材５０と容器操作部材５５の間の隙間部で柄部２ｄの両側の側壁に固定されている。
蓋側移動抵抗手段６０ｄは閉止位置と開き位置の二段で働くようになっており、容器側移動抵抗手段６０eは閉止位置と捕捉位置と開き位置の三段階で働くようになっている。
各操作部材と各基軸部側の一部との連結手段は前述の例に示したラックと歯車などを用いた他の手段よることも出来る。又、柄部上を滑動する操作部材を介せず、操作レバー手段の一部と基軸部側の一部とを直接に繋ぐロッドやワイヤーの操作部材で連結して操作することも出来よう。さらには、容器レバー１６ｄと蓋レバー２２ｄの各々にハンドルのような各々の操作部材を直に結合して操作するようにすることも出来よう。
【産業上の利用可能性】
【００３０】
本発明は、糞の捕捉と収納そして排出の操作に優れ、しかもその形体、美観にも優れており犬の散歩に携帯するにも抵抗を感ずることない犬糞等の捕捉運び器具であるから、ペット好きの人々や糞害に悩む人々にとって助けになる。
【図面の簡単な説明】
【００３１】
【図１】一実施例を示す捕捉運び器具の側面図で、蓋が半ば開かれ柄部を４５°後ろに傾けて糞を捕捉している状態を示す図である。
【図２】図１に示す実施例の蓋が閉止された状態を、柄部を縦にして示す側面図で一部を断面にして示す図ある。
【図３】図１に示す実施例の蓋が開放された状態を、柄部を縦にして示す側面図で柄部を短縮して示す図ある。
【図４】図２における４−４断面を示す断面図である。
【図５】他の実施例を示す捕捉運び器具の側面図で、蓋が半ば開かれ柄部を４５°後ろに傾けて糞を捕捉している状態を示す図である。
【図６】図５に示す実施例の蓋が閉止された状態を、柄部を縦にして示す側面図で一部を断面にして示す図ある。
【図７】図６における７−７断面を示す断面図である。
【図８】他の実施例を示す捕捉運び器具の正面図で、蓋が閉止された状態を柄部を縦にして一部を断面にして示す図ある。
【図９】図８に示す実施例の蓋が半ば開かれ柄部を４５°後ろに傾けて糞を捕捉している状態を示す図である。
【図１０】他の実施例の容器部の側部を示す部分側面図である。
【図１１】図１０における１１−１１断面を示す断面図である。
【図１２】他の実施例を示す捕捉運び器具の側面図で、蓋が半ば開かれ柄部を４５°後ろに傾けて糞を捕捉している状態を示す図である。
【符号の説明】
【００３２】
１〜１ｄ：柄
２〜２ｄ：柄部
３〜３ｃ：揺動軸線（支持部の中心軸線）
４〜４ｄ：支持部
５〜５ｄ：把持部
６〜６ｄ：開口部
７〜７ｃ：内壁部
８〜８ｄ：容器
９〜９ｄ：容器基軸部
１０〜１０ｃ：被い部
１１〜１１ｄ：蓋
１２〜１２ｄ：周縁手段
１３〜１３ｃ：蓋基軸部
１６〜１６ｄ：容器レバー
２０〜２０ｄ：容器リンク
２２〜２２ｄ：蓋レバー
２３〜２３ｄ：蓋リンク
２４〜２４ａ：レバー孔
２６〜２６ａ：操作レバー
２７〜２７ａ：前レバー部
２８〜２８ａ：後レバー部
２９：排水孔
３０〜３０ｄ：支持脚
３１：窪み
３２：突起
３３〜３３ｂ：板バネ
３４〜３４ａ：突起
３５〜３５ａ：止め溝
３６〜３６ａ：止め溝
３７〜３７ａ：止め溝
３８〜３８ｃ：容器歯車
３９〜３９ｃ：ケース部
４０〜４０ｃ：容器ラック
４１〜４１ｃ：蓋歯車
４２〜４２ｃ：蓋ラック
４３：歯車
４４：操作ラック
４６：操作レバー
４７：外鍔
４８：支持ピン
４９：ピン孔
５０：蓋操作部材
５１、５６：レバー孔
５３：蓋操作レバー
５５：容器操作部材
５８：容器操作レバー
６０〜６０ｄ：移動抵抗手段
６１：ケースカバー
【図１】
2008043202.tif 000003
【図２】
2008043202.tif 000004
【図３】
2008043202.tif 000005
【図４】
2008043202.tif 000006
【図５】
2008043202.tif 000007
【図６】
2008043202.tif 000008
【図７】
2008043202.tif 000009
【図８】
2008043202.tif 000010
【図９】
2008043202.tif 000011
【図１０】
2008043202.tif 000012
【図１１】
2008043202.tif 000013
【図１２】
2008043202.tif 000014
【手続補正書】
【提出日】平成17年7月22日(2005.7.22)
【手続補正１】
【補正対象書類名】図面
【補正対象項目名】図２
【補正方法】変更
【補正の内容】
【図２】
2008043202.tif 000015
【手続補正２】
【補正対象書類名】図面
【補正対象項目名】図３
【補正方法】変更
【補正の内容】
【図３】
2008043202.tif 000016
【手続補正３】
【補正対象書類名】図面
【補正対象項目名】図４
【補正方法】変更
【補正の内容】
【図４】
2008043202.tif 000017
【手続補正４】
【補正対象書類名】図面
【補正対象項目名】図８
【補正方法】変更
【補正の内容】
【図８】
2008043202.tif 000018
【手続補正５】
【補正対象書類名】図面
【補正対象項目名】図１２
【補正方法】変更
【補正の内容】
【図１２】
2008043202.tif 000019
【手続補正書】
【提出日】平成17年7月22日(2005.7.22)
【手続補正１】
【補正対象書類名】特許請求の範囲
【補正対象項目名】全文
【補正方法】変更
【補正の内容】
【特許請求の範囲】
【請求項１】
柄が把持部から伸びる柄部の先に横方向の揺動軸線上で容器と蓋を揺動可能に支持する支持部を備えており、該支持部に窪んだ内壁部と平坦な開口部を有する容器がその開口部を平行に支持されており、容器の開口部を接近して被う周縁手段とその内側の被い部を有する蓋がその周縁部分を容器の内外の一方の側で容器と対向方向に揺動可能に支持されており、柄部側に設けた操作手段により蓋が被さる時に容器が柄部と略直角に上向きになり、糞の排出の時に容器と蓋が柄部の一方側に傾いて開き、その開閉の間の位置で糞の捕捉の向きに開くようにした犬糞等の捕捉運び器具において、
支持部が把持部に対して左右方向から前方向の所望の向きに設けてあり、
容器がその開口部を通る揺動軸線上の片方側の壁に容器基軸部を備え、前記容器基軸部を前記支持部に支持されて柄部の一方の側部位置に突出するように支持されており、
蓋がその周縁部を通る揺動軸線上の片方側の壁に蓋基軸部を備え、前記蓋基軸部を前記容器の内外の一方の側で前記容器基軸部と同心に前記支持部内に支持されており、
操作手段が前記柄部の側に操作部を備えその下部側で各々連結手段により前記容器基軸部側の一部と前記蓋基軸部側の一部とに連結された操作部材を備えていることを特徴とする犬糞等の捕捉運び器具。
【請求項２】
操作手段の操作部材が柄部上に上下移動自在に保持され、揺動軸線の前側と後側の一方の側でその一部と容器基軸部の一部とを連結する容器側連結手段と前記揺動軸線の他方の側でその一部と蓋基軸部の一部とを連結する蓋側連結手段を備えることを特徴とする請求項１記載の犬糞等の捕捉運び器具。
【請求項３】
操作部材の連結手段が揺動軸線の前側と後側の一方の側で前記操作部材の一部にその一端側を連結され他端側を容器基軸部に形成された容器レバーに連結された容器リンクと、前記揺動軸線の他方の側で前記操作部材の他の一部にその一端側を連結され他端側を蓋基軸部に形成された蓋レバーに連結された蓋リンクからなることを特徴とする請求項２記載の犬糞等の捕捉運び器具。
【請求項４】
操作部材の連結手段が揺動軸線の前側と後側の一方の側で前記操作部材の一方側の部分に柄部に平行に形成した容器ラックと、前記揺動軸線の他方の側で前記操作部材の他方側の部分に前記柄部に平行に形成した蓋ラックと、容器基軸部に形成され前記容器ラックと噛み合う容器歯車と、蓋基軸部に形成され前記蓋ラックと噛み合う蓋歯車からなることを特徴とする請求項２記載の犬糞等の捕捉運び器具。
【請求項５】
操作手段の操作部材が柄部の側の一部に設けた容器操作部と前記容器操作部と容器基軸部の一部とを連結する容器の操作部材と、柄部の側の他の一部に設けた蓋操作部と前記蓋操作部と蓋基軸部の一部とを連結する蓋の操作部材を備え、容器と蓋が各々単独に操作されることを特徴とする請求項１記載の犬糞等の捕捉運び器具。
【請求項６】
容器と蓋の揺動軸線上において容器の開口部の容器基軸部と反対側の壁部に蓋の周縁部の対面する壁部との間で相互に回転自在に嵌め合う軸心支持手段を備えることを特徴とする請求項１記載の犬糞等の捕捉運び器具にある。
【手続補正書】
【提出日】平成17年7月22日(2005.7.22)
【手続補正１】
【補正対象書類名】明細書
【補正対象項目名】全文
【補正方法】変更
【補正の内容】
【発明の詳細な説明】
【技術分野】
【０００１】
本発明は、犬等の散歩の際に持ち歩き、その糞を捕捉しそれを決められた場所に排出するための犬糞等の捕捉運び器具に関する。
【背景技術】
【０００２】
従来、犬の糞の捕捉と持ち帰りのための器具が販売されている。これらの多くは、地面上にある犬の糞を掬い取る、あるいは挟み取る器具と糞を入れる袋等からなっているものが主である。登録実用新案第３０５１１６０号は伸縮出来る把手の先のヒンジ部に支持された掛止環部にビニール袋を取り付けるようになっている。これらは掛止環部に手を触れる必要があり、又、携帯して持ち歩くには不便で、人目にも抵抗を感ずる欠点がある。
登録実用新案第３０１５１２７号公報に記載のものは、犬の糞を受ける横に柄の付いた下半球上に回転軸により結合されて開閉動する上半球を有しており、該上半球を閉じた時に球体形をなすものである。柄上には滑動するスライダーが設けてあり、該スライダーと上半球は棒により連結されており、上半球は柄上のスライダーの操作により開閉されるようになっている。
特開平１０−５６９０８号公報に記載のものは、口縁部に柄の付いた半球状の身の外側に身の軸支線上に回転可能に軸支され、身の開口部を閉鎖するように回転せしめた時に身と蓋とで球状をなすようにした半球状の蓋を有しており、予め装着された糞を納める袋を身と蓋の間で閉じて内部に保持するようになっているものである。蓋を閉鎖状態に保つ固定手段を有している。蓋の開閉は蓋の外面を地面上に転がして行うものと、開閉手段（８）、開閉手段（１０）などで行うものが開示されている。
この他にも犬の糞を排便中に捕捉するもの等の提案が多くなされている。
【非特許文献１】登録実用新案第３０５１１６０号公報
【非特許文献２】登録実用新案第３０１５１２７号公報
【非特許文献３】特開平１０−５６９０８号公報
【発明の開示】
【発明が解決しようとする課題】
【０００３】
前述のように、従来市販されている犬の糞の捕捉運び器具等は、糞の収納が面倒で扱いづらい上に、これらを持ち運ぶにも見目が悪く敬遠される欠点があった。
犬の糞の捕捉運び器具等は、何時も清潔に保つために掃除がし易いことが特に大事で、容器と蓋の周りに支持部材や操作部材などがなく周囲が完全に露出されていることが望ましい。
容器と蓋の周りに支持部材などが存在すると、清掃の際や、糞の捕捉の際などに邪魔になることがあり、又、そこに雑草などが絡んで引っ掛かって残ることがある。
本発明の目的は、一つの軸線上で対向方向に揺動して開閉する容器と蓋が柄の側部に突出して設けられており、操作手段が容器と蓋の周りから分離された柄の側にあってこれらと連結されており、柄の操作部の簡単な操作で容器と蓋とが捕捉しやすい向きに開き、蓋をして運びやすい上下の向きに保たれ、柄の一方側に大きく傾けて排出することが出来、且つ、捕捉しやすく清掃しやすい犬糞等の捕捉運び器具を提供するにある。
本発明の他の目的は、糞の捕捉や排出の際に容器と蓋をより適切な向きに、且つ、一層大きく開くことが出来、糞の捕捉の際に、犬の後ろ側の横の位置からも支持部材などに邪魔されずに犬の糞口の下に容器を近づけやすい犬糞等の捕捉運び器具を提供するにある。
本発明の他の目的は、容器と蓋とが一つの操作部で連動して対向方向に揺動して閉止、捕捉そして排出ができる犬糞等の捕捉運び器具を提供するにある。
本発明のさらに他の目的は、容器と蓋とを各々単独に操作して閉止、捕捉そして排出ができる犬糞等の捕捉運び器具を提供するにある。
【課題を解決するための手段】
【０００４】
上記目的を達成するために、本発明の犬糞等の捕捉運び器具は、柄が把持部から伸びる柄部の先に横方向の揺動軸線上で容器と蓋を揺動可能に支持する支持部を備えており、該支持部に窪んだ内壁部と平坦な開口部を有する容器がその開口部を平行に支持されており、容器の開口部を接近して被う周縁手段とその内側の被い部を有する蓋がその周縁部分を容器の内外の一方の側で容器と対向方向に揺動可能に支持されており、柄部側に設けた操作手段により蓋が被さる時に容器が柄部と略直角に上向きになり、糞の排出の時に容器と蓋が柄部の一方側に傾いて開き、その開閉の間の位置で糞の捕捉の向きに開くようにした犬糞等の捕捉運び器具において、
支持部が把持部に対して左右方向から前方向の所望の向きに設けてあり、容器がその開口部を通る揺動軸線上の片方側の壁に容器基軸部を備え、該容器基軸部を支持部に支持されて柄部の一方の側部位置に突出するように支持されており、蓋がその周縁部を通る揺動軸線上の片方側の壁に蓋基軸部を備え、該蓋基軸部を容器の内外の一方の側で容器基軸部と同心に支持部内に支持されており、操作手段が柄部の側に操作部を備えその下部側で各々連結手段により容器基軸部側の一部と蓋基軸部側の一部とに連結された操作部材を備えている
容器の周りが広く開かれて邪魔になるものがなく、且つ、捕捉の際にも容器が十分大きく開くことが出来る犬糞等の捕捉運び器具が得られる。
ここで、操作部材とは、操作部と下部に設けられる各基軸部側の一部との連結手段であるリンクやラックを含むものである。又、操作部と各基軸部側の一部とを直接に繋ぐロッドやワイヤー等をも含むものである。
又、操作部とは、操作部材上部に設けられる直に掴める握り部やハンドル、あるいは指掛けのようなレバー形のもの等を含め、以下に示す操作レバーとレバー孔、あるいは、歯車付操作レバーと操作ラックのように操作レバー手段と操作部材側との連結手段を包括的に含むものである。
【０００５】
上記操作手段は、操作部材が柄部上に上下移動自在に保持され、揺動軸線の前側と後側の一方の側でその一部と容器基軸部の一部とを連結する容器側連結手段と揺動軸線の他方の側でその一部と蓋基軸部の一部とを連結する蓋側連結手段を備えるものとすることが出来る。
【０００６】
上記操作手段は、操作部材の連結手段が揺動軸線の前側と後側の一方の側で操作部材の一部にその一端側を連結され他端側を容器基軸部に形成された容器レバーに連結された容器リンクと、揺動軸線の他方の側で操作部材の他の一部にその一端側を連結され他端側を蓋基軸部に形成された蓋レバーに連結された蓋リンクを備えるものとすることが出来る。
【０００７】
上記操作手段は、操作部材の連結手段が揺動軸線の前側と後側の一方の側で操作部材の一方側の部分に柄部に平行に形成した容器ラックと、揺動軸線の他方の側で操作部材の他方側の部分に柄部に平行に形成した蓋ラックと、容器基軸部に形成され容器ラックと噛み合う容器歯車と、蓋基軸部に形成され蓋ラックと噛み合う蓋歯車を備えるものとすることが出来る。
【０００８】
このように、容器と蓋の操作が柄の一つの操作部の操作で連動して同時に行われることが、本発明の優れた特徴の一つであるが、容器と蓋の操作を各々独立の操作手段で独立の操作部で行うことも出来る。
上記操作手段において、操作部材が柄部の側の一部に設けた容器操作部と該容器操作部と容器基軸部の一部とを連結する容器の操作部材と、柄部の側の他の一部に設けた蓋操作部と該蓋操作部と蓋基軸部の一部とを連結する蓋の操作部材を備え、容器と蓋が各々単独に操作されるものとすることが出来る。
【０００９】
上記操作手段は、柄部の一部に横方向の支持ピンを設け、該支持ピンにその中間部を支持されて柄部を前後方向に伸び出る前レバー部と後レバー部からなり支持ピンを支点にして上下にシーソーように揺動する操作レバーを設け、前レバー部と後レバー部の一方側に操作部材のレバー孔を嵌め合せた操作レバー手段の操作部を備えるものとすることが出来る。
【００１０】
上記犬糞等の捕捉運び器具は、容器と蓋の揺動軸線上において容器の開口部の容器基軸部と反対側の壁部に蓋の周縁部の対面する壁部との間で相互に回転自在に嵌め合う軸心支持手段を備えるものとすることが出来る。
【００１１】
さらに、上記軸心支持手段が容器の壁部と蓋の壁部との間に設けた一方の側の窪み部とこれに回転自在に嵌まる他方側の突部からなるものとし得る。
【００１２】
さらに、上記軸心支持手段が容器の内壁部の凹の球面部と蓋の外壁部の凸の球面部からなるものともなし得る。
【００１３】
上記容器と蓋は、窪んだ内壁部と平坦に開く開口部を有し該開口部の片側を支持部に嵌め合わされて揺動軸線の周りに揺動可能に支持された容器と、その周縁部分の片側を容器の内側で支持部に同心に支持され容器の開口部の内側を密に接近して被う周縁手段と内側の被い部を有する蓋により構成することが出来る。
【００１４】
上記容器と蓋は、後記する理由により、揺動軸線の周りに半回転形に窪んだ内壁部と平坦に開く開口部を有し該開口部の片側を支持部に嵌め合わされて揺動軸線の周りに揺動可能に支持された容器と、その周縁部分の片側を容器の内側で支持部に同心に支持され容器の開口部の内側を密に接近して被う周縁手段と内側の被い部を有する蓋により構成されることがより一層望ましい。
そこで、糞の排出の際に蓋がその閉止位置から開き位置に移動する時に、その周縁手段の後側は容器の内壁部に沿って動き、容器内の糞を付着するものも一緒に前方へ押出す。そして蓋は容器の内側に重なって前方に開く。
【００１５】
上記容器と蓋は、窪んだ内壁部と平坦に開く開口部を有し該開口部の片側を支持部に嵌め合わされて揺動軸線の周りに揺動可能に支持された容器と、その周縁部分の片側を容器の外側で支持部に同心に支持され容器の開口部を密に接近して被う周縁手段と内側の被い部を有する蓋により構成することも出来る。
本発明の犬糞等の捕捉運び器具は、地面にある糞を救い取るよりも、主として犬がまさに排糞中のところに立位ないし、いくぶん腰を屈めるようにして犬の糞口の下に容器の上部の開口部をあてがって器内にその糞を捕捉するものである。
従って、柄の長さは十分な長さが望ましく、目で確かめながら捕捉器の前部の開口部を犬の糞口の下にあてがう。その際に、柄の角度は平坦な地面の垂線に対し１０°から７０°程度の範囲となるであろう。
勿論、本犬糞等の捕捉運び器具は操作部を操作しながら容器を開いて地面上の糞を挟み取ったり、救い取ることも出来るようになっている。
【発明の効果】
【００１６】
長い柄の先に支持され対向に揺動する容器と蓋が手元の操作部の簡単な操作で捕捉しやすい向きに開き、捕捉した後は蓋をして運びやすいような向きに保たれ、手に持ったまま容器を糞の排出がしやすい向きに傾けて開くことが出来る犬糞等の捕捉運び器具が得られる。
【００１７】
一揺動軸線上で対向方向に揺動して開閉する容器と蓋が柄の側部に突出して設けられており、操作手段が容器と蓋の周りから分離された柄の側にあって基軸部を介してこれらと連結されているので、容器の上部周りが広く開かれて邪魔になるものがなく、捕捉しやすく清掃しやすい犬糞等の捕捉運び器具が得られる。
【００１８】
糞の捕捉や排出の際に容器と蓋をより適切な向きに、且つ、一層大きく開くことが出来、糞の捕捉の際に、犬の後ろ側の左右の位置からも支持部材などに邪魔されずに犬の糞口の下に容器を近づけやすい犬糞等の捕捉運び器具が得られる。
【００１９】
容器と蓋とが一つの操作部で連動して対向方向に揺動して閉止、捕捉そして排出ができる犬糞等の捕捉運び器具が得られる。
又、容器と蓋とを各々単独に操作して閉止、捕捉そして排出ができる犬糞等の捕捉運び器具を得ることも出来る。
【００２０】
容器を揺動軸線の周りに半回転形の形状にし、蓋を受容器の内側にしてその周縁手段が開口部の内側で内壁部に密に接近するようにすることにより、糞が容器の外部にこぼれ難く、しかも排出の際には受容器内の糞を周縁手段の後側でかき出すように前方へ押出して開くので糞が内壁部に付着して残らず清潔に保たれる。
【００２１】
さらに、容器を揺動軸線の周りに半球形の形状とし、蓋をその揺動軸線の周りに半球形に突出した被い部にして容器が閉止される時に、容器と蓋の全体の形が略球形を成す形状にすることにより、角がなく密実で内外の掃除がし易く、収容容量の大きな犬糞等の捕捉運び器具が得られる。
【００２２】
さらに、蓋の周縁部に容器の開口部を含む内壁部に密接するシールリングを取付けることにより容器の開口部が密閉され、雨水等の侵入や臭気の洩れも少なく、ガタのない確りした犬糞等の捕捉運び器具が得られる。
【００２３】
前と後ろでシーソーに動く操作レバーによって、把持部を握る前側と後側の指の一部で前側と後側のレバーを交互に引き上げる操作によって容器と蓋を開くことも閉じることも出来る操作しやすい犬糞等の捕捉運び器具が得られる。
【発明を実施するための最良の形態】
【００２４】
把持部より伸びる長い柄の先に把持部に対して左右方向から前方向の所望の向きで交差する支持部を設け、各々その周縁部の片側に設けた基軸部を同心に前記支持部に支持されて対向に揺動運動して開閉する略半球形等の形をした容器と蓋を柄の側部に突出するように設け、該容器と蓋を柄側に設けた操作手段の操作部により蓋が被さる時に容器が柄と略直角に上向きになり、排出の時に柄と略平行に重なって開き、その間の位置で糞の捕捉が出来るようにした。
【実施例１】
【００２５】
図１〜４において、柄１の上端にある前後方向にＴ字形をなす把持部５から先方へ長く伸びる柄部２の先に、把持部５に対して左右方向の向きで柄部２と交差する中心軸線を有する円筒形の孔から成る支持部４が設けられる。該中軸心線は容器と蓋の揺動軸線３をなすものである。容器８は平坦に開く開口部６と窪んだ内壁部７を有しており、その開口部６の片側に容器基軸部９を備えている。該容器基軸部９は開口部６と平行に容器の中心部を通る軸心を有し、支持部４に回転自在に嵌まる直径の軸部であって、容器８は該容器基軸部９により柄部２の一方の側部に揺動軸線３の周りで揺動自在に支持されている。
容器８の内側には蓋１１が取付けられている。該蓋１１は開口部６を密接に接触して被う平坦な周縁手段１２と内側の被い部１０を有しその周縁部分の片側に蓋基軸部１３を備えている。該蓋基軸部１３は周縁手段１２が揺動軸線３と平行に支持されるように蓋の中心部を通る軸心を有し、容器基軸部９の内部に同心に穿たれた蓋基軸孔１４に回転自在に嵌まっている。そこで、蓋１１は容器８内で揺動することが出来、容器８と蓋１１は共に揺動軸線３上で揺動する。周縁手段１２は、ここでは、蓋の周縁部分に設けられたリング溝に嵌まるゴム製の中空のパイプ状シールリングになっている。
容器と蓋の基軸部の反対側に両者の軸心を保持する軸心支持手段を設けることが出来る。図４において、容器の開口部６の容器基軸部９と反対側の内壁部７の揺動軸線３の通る位置に円筒状の窪み３１が設けてある。一方、蓋１１の周縁部の対応する位置の外壁部分に前記窪み３１に回転自在に嵌まる突起３２が設けてある。この突起３２により蓋１１の周縁部の端部が揺動軸線３上で容器の端部に支持されて、受容器内で一層安定して揺動することが出来る。
容器８と蓋１１は、ここでは、共に揺動軸線３を中心軸線とする円の回転形である球形を略半分にした形の略半球形になっている。
従って、開口部６と周縁手段９は円形である。ここに示すような半球形やこれに近い形の器や蓋は掃除がしやすい形である。受納容量に比較した小型化や意匠の点でも全体の形が球形に近い形が望ましい。
容器と蓋を動かす操作手段は柄部２の反対側に設けられる。柄部２を間にして、受容器基軸部９の容器側と反対側の位置に、揺動軸線３の前側で半径方向に伸びてその端部にリンクピン１５を備える容器レバー１６が設けてある。一方、柄部２上には、軸方向に滑動自在に嵌る操作部材１７があって、該操作部材１７の下端部には前後に並列に２つのリンクピン１８と１９が設けてある。そして、前側のリンクピン１８と容器レバー１６のリンクピン１５とが容器リンク２０を介して連結されている。
同じように、蓋基軸部１３の蓋側と反対側の位置には、揺動軸線３の後側で前記容器レバー１６と対称形に半径方向に伸びて、その端部にリンクピン２１を備える蓋レバー２２が設けてある。そして、後側のリンクピン１９と蓋レバー２２のリンクピン２１とが蓋リンク２３を介して連結されている。
ここで、容器レバー１６と蓋レバー２２の長さは必ずしも同じである必要はない。異なる長さにすることによって、受容器と蓋とに所望の異なる揺動角度を与えることも出来る。又、容器レバー１６と蓋レバー２２とが揺動軸線３を通る柄部２の軸線に対し前後対称の傾きである必要はない。非対称の傾きとすることで容器と蓋の動きに差を生じせしめることなどは、任意である。
ここでは、操作部材１７はその操作部を操作レバー手段を介して操作される。
操作部材１７の上部はその前側の部分が上方に長く伸びており、この上部に伸びる操作部の部分にレバー孔２４が穿けてある。把持部５より指が届く程の位置の柄部２の後ろ側のピン受け部に横方向の支持ピン２５が固定されており、該支持ピン２５に支持されて柄部２を前後方向に貫通して前後に伸び出る操作レバー２６が設けてある。該操作レバー２６は柄部２の前側に突出する前レバー部２７と後ろ側に突出する後レバー部２８からなり支持ピン２５を支点にして上下にシーソーように揺動することが出来る。そして該操作レバー２６の前レバー部２７部分がレバー孔２４を貫通している。
そこで、図２〜３に示すように前レバー部２７を一杯に引き上げた時に、操作部材１７が一杯に引き上げられ、容器リンク２０と蓋リンク２３は容器レバー１６と蓋レバー２２を回して容器と蓋とを閉止状態にする。この時容器８はその開口部６が柄部２に対して略直角になるように上向きとなっており、その上から蓋１１が下向きになり、その周縁手段１２が開口部６を塞いでいる。容器内の糞は外部に漏れることなく、その臭気もシールリングの働きでもれることがない。通常は、この縦にした状態で持ち歩く。
容器８の周りに穿けられた小さな排水孔２９は蓋が被さった際に雨水や砂等を周縁手段１２の周りから逃がす孔で、水などが容器内に浸入することを防ぐものである。
操作部材１７はその操作部の操作による動きを容器リンクと蓋リンク等の連結手段を介して容器レバーと蓋レバーに伝達してこれらを動かす部材である。ここに示す以外のロッドのようなものでも、あるいは張りバネでいつも張られているコードやワイヤーであっても同様の機能を与え得るもので、これらに換えて実施することも出来る。
把持部を握りながら、その握る指の一部でレバーを操作する時、指でレバーを押すという操作はやり辛いものであるが、この例のように、柄部２に設けられたシーソーに動く操作レバー２６を介して操作部材の操作部を操作するようにすれば、把持部を握る前側と後側の指の一部で前側と後側のレバーを交互に引き上げる操作によって容器と蓋を開くことも閉じることも出来る。このように前と後ろでシーソーに動くレバーは都合がよい。
さらにこの例において、柄部２の支持ピン２５の下部の空間内に柄部２の前側の内壁にその一端を固定されたU形の板バネ３３が挿入してある。該板バネ３３の他端側には操作部材１７の後側の壁に向かって三角形に突出する突起３４が形成してあり、バネの反発力で後側に押されている。一方、操作部材１７の対応する部分の内壁には突起３４に合致した三角形状の３個の止め溝３５、３６，３７が縦並びに設けてある。そこで、図２のように容器が蓋に閉止されている状態の時に、止め溝３７に突起３４が嵌まる。図３のように容器と蓋が一杯に開かれている状態の時に、止め溝３５に突起３４が嵌まる。
そして、図１のように容器と蓋が糞の捕捉の向きに開かれている時に、止め溝３６に突起３４が嵌まる。この突起３４の嵌まり込みは操作レバー２６に一定以上の力をかけることで外れる移動抵抗保持手段６０になっている。これによって、容器と蓋の開閉操作の所定位置での安定した保持が行われる。
図３では後レバー部２８を一杯に引き上げられている。この時に操作部材１７が一杯に引き下げられて容器リンク２０と蓋リンク２３は容器レバー１６と蓋レバー２２を介して容器と蓋とを開放状態にする。容器８は柄部２の後ろ側にあって、その開口部６は柄部２と略平行に立って前側に向き、蓋１１がその内側で重なり合うようにしてその周縁手段１２が柄部２と略平行に立って前側に向かって開いている。糞の排出は通常はこの図３のように柄を縦にした状態で行う。図２に示す容器の開口部６が蓋の周縁手段１２に閉止された状態から図３の状態に移動する際に、蓋の周縁手段１２は容器の内壁部７を掃くようにして移動し、容器８内の糞を内壁部７に付着するものも一緒に前方へ押出す。容器８の内壁部７が揺動軸線３を中心にした回転面であることの利点の一つである。
容器と蓋の形はここに示すような円の回転形を半分にした半球形である必要はない。例えば、方形の回転形を半分にした半円筒形や、楕円の回転形を半分にした半ラグビーボール形など好み等により任意に選択出来る。又、前述のような利点を重要視しないならば、必ずしも半回転形の窪み部の容器や半回転形の被い部の蓋である必要はない。
図１は糞の捕捉中の状態が描かれている。柄部２が垂直方向に対して４５°後ろ側に傾いた状態で、操作レバー２６が傾きの間の位置、即ち、突起３４が止め溝３６に嵌まった状態で描かれている。図示の位置において容器８と蓋１１は前側に傾いて開かれており、犬が排糞中の糞の捕捉に適した向きで開口部６の前側が大きく開かれている。立位ないし、いくぶん腰を屈めるようにして犬３７の糞口の下に容器の開口部６をあてがって器内にその糞を捕捉する。
容器の開口部６が大きく開かれており、容器を支持する柄部２の向う側に支持部材のような邪魔なものがなく、開口部の向こう側も略円く開かれている。そこで、例えば、図１の状態で支持脚３０の端を支点にして柄１をそのまま左右に回すことで、犬の後ろ側の左右の位置からより広い角度で糞の捕捉を行うことが出来る。
支持脚３０は、柄１の支持部４の先に設けられている。支持部４より柄部２に対し後側へ４５°程傾いて容器の外側を巻くように下方へ容器の中心近くまで伸びている。該支持脚３０は糞の捕捉の際の先端の支えとして使用することが出来る。又、器具を壁などに立ておく際に、容器を地面に着けない支え脚にもなる。該支持脚３０の柄部２に対する後側への傾き角度はここに示す４５°に限らず任意であり、もっと小さな角度とすることが出来る。
捕捉後は前レバー部２７を一杯に引き上げて蓋の周縁手段１２で受容器の開口部６を塞ぎ図２に示す柄を縦にした状態で持ち歩く。
ここで、容器は柄の把持部に対して左右方向から前方向の範囲の任意の向きで柄部と交差するように設け得る。そのように支持部を設けることが出来る。
【実施例２】
【００２６】
図５〜図７は本発明の他の実施例を示す。以下の説明では、前述の実施例と同じ部分については各実施例毎に同一の符号にａ、ｂ、ｃの添字を付して示し、その詳しい説明を省略して主に異なる部分について説明する。
ここでは、操作部材１７aと容器基軸部９a及び蓋基軸部１３aとの間の連結手段を異にしており、ラックと歯車により連結されている。
柄部２aを間にして、容器基軸部９aの容器側と反対側の位置に、揺動軸線３aより前側に歯を有する容器歯車３８が形成されている。そして、操作部材１７aの下部の縦に長いケース部３９の内側には、揺動軸線３aの前側に容器歯車３８と噛合う柄部２aと平行方向の容器ラック４０が設けられている。
同じように蓋基軸部１３aの蓋側と反対側の位置には、揺動軸線３aより後側に歯を有する蓋歯車４１が形成されている。そして、ケース部３９の内側には、揺動軸線３aの後側に蓋歯車４１と噛合う柄部２aと平行方向の蓋ラック４２が設けられている。
支持部４aのケース部３９側には上下に伸びるケースカバー６１が設けてあり、上下に移動するケース部３９の側部を塞ぐ働きをしている。
操作部材１７aの上部は、ここではその後側の部分が上方に長く伸びており、この上部に伸びる操作部にレバー孔２４aが穿けてある。そして、把持部５aより指が届く程の位置の柄部２aの前側にあるピン受け部に、横方向の支持ピン２５aが固定されており、該支持ピン２５aに支持されて柄部２aを前後方向に貫通して前後に伸び出る操作レバー２６aが設けてある。該操作レバー２６aは、前例と同じように、柄部の前側に突出する前レバー部２７aと後ろ側に突出する後レバー部２８aからなり、支持ピン２５aを支点にして上下にシーソーように揺動することが出来る。そして該操作レバー２６aの後レバー部２８a部分がレバー孔２４aを貫通している。丁度、前例とは前後が逆になっている。
そこで、図６〜７に示すように後レバー部２８aを一杯に引き上げた時に、操作部材１７aが一杯に引き上げられて容器ラック４０と蓋ラック４２が各々の側の容器歯車３８と蓋歯車４１を回して容器と蓋とを閉止状態にする。そして、前レバー部２７aを引き上げた時に、操作部材１７aが一杯に下に引き下げられて、容器と蓋が開放状態になる。
図５は糞の捕捉中の状態が描かれている。柄部２aが垂直方向に対して４５°後ろ側に傾いた状態で、操作レバー２６aが傾きの間の位置にある状態で描かれている。図示の位置において受容器８aと蓋１１aは前側に傾いて開かれており、犬が排糞中の糞の捕捉に適した向きで開口部６aの前側が大きく開かれている。
容器８aの内壁部７aは凹の球面になっており、蓋１１aの周縁手段１２aのリング溝の外周部は内壁部７aに密に接近した凸の球面になっており、軸心支持手段としての機能を果たしている。
【実施例３】
【００２７】
図８〜９は本発明の他の実施例を示す。ここでは柄１ｂに支持部４ｂがその中心軸線である揺動軸線３ｂが把持部５ｂと平行になるように前後方向の向きに設けてある。そして、T字形の把持部５ｂが、柄部２ｂの上端に容器８ｂの中心から伸びる線ｖに直角に向くように傾けて取り付けられている。そこで、持ち歩く際に、容器８ｂが把持部５ｂの略真下にくる。
ここでは、容器と蓋の周りと、操作手段の操作部材と容器基軸部及び蓋基軸部との間の連結手段などは実施例１と同じであるが、操作部材の操作部に異なる操作レバー手段が設けられている。
ここでは、操作部材１７ｂはその操作部を操作レバー４６を介して操作される。
操作部材１７ｂには、上方に長く伸びる前側の壁の内側に縦方向に操作ラック４４が固定されている。この操作ラック４４の移動する範囲の柄部２ｂの前の壁の部分は孔が穿けてあり、操作ラック４４はこの孔より柄部２ｂの内部に露出して上下に移動出来る。柄部２ｂの後ろ側のピン受け部に横方向の支持ピン４５が固定されており、該支持ピン４５に回転自在に支持された後方向に伸びる操作レバー４６が設けてある。該操作レバー４６には、その支持ピン４５に嵌まる部分の前側に操作ラック４４と噛み合う扇形歯車４３が形成されている。
そこで、操作レバー４６を上下に操作することにより操作ラック４４を介して操作部材１７ｂを上下に移動操作させ、前例同様に容器と蓋の開閉操作を行うことが出来る。
図９に糞の捕捉中の状態が描かれている。ここでは、把持部５ｂが前例のように犬に対して前後ろへ平行ではなく、犬に対して横方向に向く。容器の開口部６ｂが大きく開かれており、容器の柄部２ｂと反対側には支持部材のような邪魔なものがなく、開口部の向こう側も略円く開かれている。そこで、犬の後ろ側の横に立って横から容器を差し出すようにして糞の捕捉をするのに一層好都合である。
【実施例４】
【００２８】
図１０〜１１は本発明のさらに他の実施例を示す。ここでは蓋１１ｃが容器８ｃの外側で支持部４ｃに支持されており、実施例１や実施例２と同様に操作部材１７ｃの移動により揺動軸線３ｃの周りに互いに対向方向に揺動して開閉される。容器８ｃと蓋１１ｃは円の中心を揺動軸線３ｃ上にして該揺動軸線３ｃを軸に回転せしめて得られる球形を半分に割った形の半球形に造られており、蓋が被さった形が略球形を成している。図は操作部材１７ｃが一杯に引き上げられた位置にあり、蓋の周縁手段１２ｃが容器の開口部６ｃの外側を深く被った状態になっている。開口部６ｃは蓋の被い部１０ｃの内壁に接近するように外側に曲げ出された外鍔４７を有する。そこで、容器と蓋が開く方向に移動する時に開口部６ｃの後ろ側の外鍔４７は被い部１０ｃの内壁に沿って移動し、付着するものを掻き落として奇麗にする働きをする。外鍔４７は容器８ｃ側に設けられているが、実施例１や実施例２の蓋の周縁手段と同じような働きをする。
容器及び蓋の基軸部の反対側には、容器と蓋の軸心支持手段が設けられている。
蓋１１ｃの周縁部の蓋基軸部１３ｃと反対側の揺動軸線３ｃの通る位置の壁に、支持ピン４８が固く挿入されている。一方、容器８ｃの開口部側の対応する位置の壁部には支持ピン４８に回転自在に嵌まるピン孔４９が設けてある。そこで、支持ピン４８により容器の開口部６ｃの端部が揺動軸線３ｃ上で蓋１１ｃの端部に支持されて、蓋の内部で一層安定して揺動することが出来る。
【実施例５】
【００２９】
このように、容器と蓋の操作が柄の一つの操作部の操作で連動して行われることが、本発明の優れた特徴の一つであるが、容器と蓋の操作を各々単独で行うことも出来る。
図１２は本発明のさらに他の実施例を示す。この例では蓋１１ｄが容器８ｄの外側で揺動して開閉されもので、容器基軸部９ｄが蓋基軸部の内部に同心に穿けられた容器基軸孔（図示せず）に支持されて支持部４ｄに支持されている。
蓋操作部材５０が揺動軸線を通る柄部２ｄの中心線５４より前側に上下に滑動自在に設けてある。該蓋操作部材５０の上部の操作部にはレバー孔５１が穿けてある。把持部５ｄより指が届く程の位置の柄部２ｄの後ろ側に設けられたピン受け部に横方向の支持ピン５２が固定されており、該支持ピン５２に支持されて柄部２ｄを前後方向に貫通して前方に伸び出る蓋操作レバー５３が設けてある。
蓋基軸部の端には、揺動軸線より前側で半径方向に伸びてその端部にリンクピンを備える蓋レバー２２ｄが設けてある。蓋操作部材５０の下端部にはリンクピン１９ｄが設けてある。そして、該リンクピン１９ｄと蓋レバー２２ｄのリンクピンとが蓋リンク２３ｄを介して連結されている。
図１２は糞の捕捉状態を示しており、蓋操作レバー５３が一杯に引き上げられて蓋リンク２３ｄを介して蓋基軸部が回されて、蓋１１ｄが一杯に開かれている。
一方、容器操作部材５５が柄部２ｄの中心線５４より後側に上下に滑動自在に設けてある。該蓋操作部材５５の上部の操作部にはレバー孔５６が穿けてある。蓋操作レバー５３より下へ離れた位置の柄部２ｄの前側に設けられたピン受け部に横方向の支持ピン５７が固定されており、該支持ピン５７に支持されて柄部２ｄを前後方向に貫通して後方に伸び出る容器操作レバー５８が設けてある。
容器基軸部９ｄの端には、揺動軸線より後側で半径方向に伸びてその端部にリンクピン１５ｄを備える容器レバー１６ｄが設けてある。容器操作部材５５の下端部にはリンクピン１８ｄが設けてある。そして、該リンクピン１８ｄと容器レバー１６ｄのリンクピン１５ｄとが容器リンク２０ｄを介して連結されている。
ここで、容器操作レバー５８が半ば程引き上げられて容器リンク２０ｄを介して容器基軸部９ｄが回されて、容器８ｄが糞の補足に適した傾きで開かれている。
ガイドリング５９は蓋操作部材５０と容器操作部材５５を柄部２ｄ上に保持して案内するもので、蓋操作部材５０と容器操作部材５５の間の隙間部で柄部２ｄの両側の側壁に固定されている。
蓋側移動抵抗手段６０ｄは閉止位置と開き位置の二段で働くようになっており、容器側移動抵抗手段６０eは閉止位置と捕捉位置と開き位置の三段階で働くようになっている。
各操作部材と各基軸部側の一部との連結手段は前述の例に示したラックと歯車などを用いた他の手段よることも出来る。又、柄部上を滑動する操作部材を介せず、操作レバー手段の一部と基軸部側の一部とを直接に繋ぐロッドやワイヤーの操作部材で連結して操作することも出来よう。さらには、容器レバー１６ｄと蓋レバー２２ｄの各々にハンドルのような各々の操作部材を直に結合して操作するようにすることも出来よう。
【産業上の利用可能性】
【００３０】
本発明は、糞の捕捉と収納そして排出の操作に優れ、しかもその形体、美観にも優れており犬の散歩に携帯するにも抵抗を感ずることない犬糞等の捕捉運び器具であるから、ペット好きの人々や糞害に悩む人々にとって助けになる。
【図面の簡単な説明】
【００３１】
【図１】一実施例を示す捕捉運び器具の側面図で、蓋が半ば開かれ柄部を４５°後ろに傾けて糞を捕捉している状態を示す図である。
【図２】図１に示す実施例の蓋が閉止された状態を、柄部を縦にして柄部を短縮して示す側面図で一部を断面にして示す図ある。
【図３】図１に示す実施例の蓋が開放された状態を、柄部を縦にして柄部を短縮して示す側面図で柄部を短縮して示す図ある。
【図４】図２における４−４断面を示す断面図である。
【図５】他の実施例を示す捕捉運び器具の側面図で、蓋が半ば開かれ柄部を４５°後ろに傾けて糞を捕捉している状態を柄部を短縮して示す図である。
【図６】図５に示す実施例の蓋が閉止された状態を、柄部を縦にして柄部を短縮して示す側面図で一部を断面にして示す図ある。
【図７】図６における７−７断面を示す断面図である。
【図８】他の実施例を示す捕捉運び器具の正面図で、蓋が閉止された状態を柄部を縦にして一部を断面にして示す図ある。
【図９】図８に示す実施例の蓋が半ば開かれ柄部を４５°後ろに傾けて糞を捕捉している状態を示す図である。
【図１０】他の実施例の容器部の側部を示す部分側面図である。
【図１１】図１０における１１−１１断面を示す断面図である。
【図１２】他の実施例を示す捕捉運び器具の側面図で、蓋が半ば開かれ柄部を４５°後ろに傾けて糞を捕捉している状態を示す図で、柄部の一部より切断して容器部分の周りを平行に移動して示す図である。
【符号の説明】
【００３２】
１〜１ｄ：柄
２〜２ｄ：柄部
３〜３ｃ：揺動軸線（支持部の中心軸線）
４〜４ｄ：支持部
５〜５ｄ：把持部
６〜６ｄ：開口部
７〜７ｃ：内壁部
８〜８ｄ：容器
９〜９ｄ：容器基軸部
１０〜１０ｃ：被い部
１１〜１１ｄ：蓋
１２〜１２ｄ：周縁手段
１３〜１３ｃ：蓋基軸部
１６〜１６ｄ：容器レバー
２０〜２０ｄ：容器リンク
２２〜２２ｄ：蓋レバー
２３〜２３ｄ：蓋リンク
２４〜２４ａ：レバー孔
２６〜２６ａ：操作レバー
２７〜２７ａ：前レバー部
２８〜２８ａ：後レバー部
２９：排水孔
３０〜３０ｄ：支持脚
３１：窪み
３２：突起
３３〜３３ｂ：板バネ
３４〜３４ａ：突起
３５〜３５ａ：止め溝
３６〜３６ａ：止め溝
３７〜３７ａ：止め溝
３８〜３８ｃ：容器歯車
３９〜３９ｃ：ケース部
４０〜４０ｃ：容器ラック
４１〜４１ｃ：蓋歯車
４２〜４２ｃ：蓋ラック
４３：歯車
４４：操作ラック
４６：操作レバー
４７：外鍔
４８：支持ピン
４９：ピン孔
５０：蓋操作部材
５１、５６：レバー孔
５３：蓋操作レバー
５５：容器操作部材
５８：容器操作レバー
６０〜６０ｄ：移動抵抗手段
６１：ケースカバー
【手続補正書】
【提出日】平成17年9月12日(2005.9.12)
【手続補正１】
【補正対象書類名】特許請求の範囲
【補正対象項目名】請求項６
【補正方法】変更
【補正の内容】
【請求項６】
容器と蓋の揺動軸線上において容器の開口部の容器基軸部と反対側の壁部に蓋の周縁部の対面する壁部との間で相互に回転自在に嵌め合う軸心支持手段を備えることを特徴とする請求項１記載の犬糞等の捕捉運び器具。